(57)【要約】【課題】  カラオケ楽曲の歌唱採点を行う際に、当該カラオケ楽曲の選曲予約を行った利用者の設定に従って、実際の歌唱採点値と表示する採点値とを異ならせる。【解決手段】  利用者の利用者ＩＤと予約楽曲の楽曲ＩＤとを紐付けして、予約楽曲管理テーブル２３ａにて管理する予約楽曲管理手段２６と、利用者毎に、歌唱採点値の調整を行うか否かを設定する歌唱採点値調整設定手段２７と、カラオケ楽曲の演奏に際し、マイクロホン１３から入力された歌唱音声信号と、所定のリファレンスデータとを比較して、歌唱採点値を算出する歌唱採点手段２８と、歌唱採点値を調整する設定が行われている利用者ＩＤと紐付けられた楽曲ＩＤを有する予約楽曲が演奏された場合に、所定の条件に従って、当該利用者ＩＤを有する利用者にとって有利な歌唱採点値となるよう調整を行う歌唱採点値調整手段２９とを備える。【選択図】図１
2015143751.tif 000002
【特許請求の範囲】
【請求項１】
カラオケ楽曲の歌唱採点を行う際に、当該カラオケ楽曲の選曲予約を行った利用者の設定に従って、実際の歌唱採点値と表示する採点値とを異ならせることが可能な歌唱採点システムであって、
任意の利用者がシステムログインした際に、当該利用者の利用者ＩＤを取得する利用者ＩＤ取得手段と、
任意の利用者がカラオケ楽曲の予約を行う際に、当該利用者の利用者ＩＤと予約楽曲の楽曲ＩＤとを紐付けして、予約楽曲管理テーブルにて管理する予約楽曲管理手段と、
予約したカラオケ楽曲について、利用者毎に、歌唱採点値の調整を行うか否かを設定する歌唱採点値調整設定手段と、
カラオケ楽曲の演奏に際し、マイクロホンから入力された歌唱音声信号と、所定のリファレンスデータとを比較して、歌唱採点値を算出する歌唱採点手段と、
前記歌唱採点値を調整する設定が行われている利用者ＩＤと紐付けられた楽曲ＩＤを有する予約楽曲が演奏された場合に、所定の条件に従って、当該利用者ＩＤを有する利用者にとって有利な歌唱採点値となるよう調整を行う歌唱採点値調整手段と、
を備えたことを特徴とする歌唱採点システム。
【請求項２】
前記歌唱採点値調整手段で調整する利用者にとって有利な歌唱採点値は、当該利用者の実際の採点値が、他の利用者を含めた当該カラオケ楽曲の歌唱採点値の平均値よりも低い場合には、当該歌唱採点値の平均値又は当該利用者の過去の歌唱採点値の中で最高値とし、他の利用者を含めた当該カラオケ楽曲の歌唱採点値の平均値よりも高い場合には、当該利用者の実際の採点値又は当該利用者の過去の歌唱採点値の中で最高値とする、
ことを特徴とする請求項１に記載の歌唱採点システム。
【請求項３】
各利用者の利用者ＩＤと、各利用者が所持する携帯情報端末の識別ＩＤとを紐付けして、利用者別携帯情報端末管理テーブルにて管理する利用者別携帯情報端末管理手段と、
前記歌唱採点値調整手段により歌唱採点値の調整が行われた場合に、当該歌唱採点値の調整の設定が行われた利用者ＩＤと紐付けされた識別ＩＤを有する携帯情報端末に対して、実際の歌唱採点値を送信する実歌唱採点値送信手段と、
を備えたことを特徴とする請求項１又は２に記載の歌唱採点システム。
【請求項４】
利用者毎に各カラオケ楽曲別の歌唱採点値を、歌唱採点履歴管理テーブルにて管理する歌唱採点履歴管理手段を備え、
前記歌唱採点値調整設定手段は、前記歌唱採点履歴管理手段にて管理している歌唱採点値の履歴が所定値以上である場合にのみ、歌唱採点値の調整設定を許可する、
ことを特徴とする請求項１〜３のいずれか１項に記載の歌唱採点システム。
【発明の詳細な説明】
【技術分野】
【０００１】
本発明は歌唱採点システムに関するものであり、詳しくは、カラオケ楽曲の歌唱採点を行う際に、当該カラオケ楽曲の選曲予約を行った利用者の設定に従って、実際の歌唱採点値と表示する採点値とを異ならせることが可能なシステムに関するものである。
【背景技術】
【０００２】
現在普及しているカラオケ演奏装置は、歌唱採点機能を有しており、自らの歌唱技量を試したり、仲間同士で歌唱採点値を競い合ったりすることにより、カラオケの楽しさを高めることができる。
【０００３】
このような歌唱採点機能は、カラオケ教室における歌唱レッスンや、営業活動で接待を行う場合にも利用され、利用者が得意とするカラオケ楽曲を歌唱することにより、当該歌唱者に優越感を与えることができる。しかし、自らが得意であるとしているカラオケ楽曲の歌唱が、その日の体調等、種々の要因により低い歌唱採点値となってしまうことがある。
【０００４】
例えば、カラオケ教室において、教師の歌唱採点値が低い場合には、教師としての立場が悪くなってしまう。また、接待を受けている者の歌唱者の歌唱採点値が予想以上に低い場合には、接待を受けている者及び接待を行っている者の双方にとって気まずいものとなり、その場の雰囲気が悪くなるおそれがある。
【０００５】
このような不都合に対して、歌唱者に気付かれることなく、歌唱採点値を割り増しして表示することができる技術が開示されている（例えば、特許文献１参照）。特許文献１に開示された技術は、歌唱採点機能付きカラオケ演奏装置にて、暗号入力手段により割り増し採点コマンドを発行できるようにする。そして、割り増し採点コマンドの入力を認識したら暗号表示手段により応答表示を行い、カラオケ伴奏音楽の演奏中に割り増し採点コマンドを受け付けたら、その音楽の歌唱採点処理について割り増し採点を行うようになっている。
【先行技術文献】
【特許文献】
【０００６】
【特許文献１】特開２００２−１０８３６８号公報
【発明の概要】
【発明が解決しようとする課題】
【０００７】
しかし、上述した特許文献１に記載された技術は、歌唱者以外の利用者が、歌唱者に知られないように割り増しコマンド（暗号）を入力するものであるため、歌唱者の意志に基づいて歌唱採点値を調整（割り増し）することはできない。したがって、実際にレッスン曲の歌唱をお手本として披露し、あるいは、得意とするカラオケ楽曲の歌唱を行う場合には、事前に割り増しコマンド（暗号）を認識し、当該割り増しコマンドを入力しておかなければ、予想以上に低い歌唱採点値が表示されてしまうことがある。
【０００８】
このように、歌唱者が期待している歌唱採点値よりも低い点数が表示された場合には、歌唱者の心証を害したり、聴取者に気まずい思いをさせたりして、カラオケの楽しさを十分に味わうことができなくなってしまう。
【０００９】
本発明は上述した事情に鑑み提案されたもので、カラオケ楽曲の歌唱採点を行う際に、当該カラオケ楽曲の選曲予約を行った利用者の設定に従って、実際の歌唱採点値と表示する採点値とを異ならせることが可能な歌唱採点システムを提供することを目的とする。
【課題を解決するための手段】
【００１０】
本発明の歌唱採点システムは、上述した事情に鑑み提案されたもので、以下の特徴点を有している。すなわち、本発明の歌唱採点システムは、カラオケ楽曲の歌唱採点を行う際に、当該カラオケ楽曲の選曲予約を行った利用者の設定に従って、実際の歌唱採点値と表示する採点値とを異ならせることが可能なシステムであって、利用者ＩＤ取得手段と、予約楽曲管理手段と、歌唱採点値調整設定手段と、歌唱採点手段と、歌唱採点値調整手段とを備えたことを特徴とするものである。
【００１１】
利用者ＩＤ取得手段は、任意の利用者がシステムログインした際に、当該利用者の利用者ＩＤを取得するための手段である。予約楽曲管理手段は、任意の利用者がカラオケ楽曲の予約を行う際に、当該利用者の利用者ＩＤと予約楽曲の楽曲ＩＤとを紐付けして、予約楽曲管理テーブルにて管理するための手段である。歌唱採点値調整設定手段は、予約したカラオケ楽曲について、利用者毎に、歌唱採点値の調整を行うか否かを設定するための手段である。
【００１２】
歌唱採点手段は、カラオケ楽曲の演奏に際し、マイクロホンから入力された歌唱音声信号と、所定のリファレンスデータとを比較して、歌唱採点値を算出するための手段である。歌唱採点値調整手段は、歌唱採点値を調整する設定が行われている利用者ＩＤと紐付けられた楽曲ＩＤを有する予約楽曲が演奏された場合に、所定の条件に従って、当該利用者ＩＤを有する利用者にとって有利な歌唱採点値となるよう調整を行うための手段である。
【００１３】
また、上述した構成からなる歌唱採点システムにおいて、歌唱採点値調整手段で調整する利用者にとって有利な歌唱採点値は、当該利用者の実際の採点値が、他の利用者を含めた当該カラオケ楽曲の歌唱採点値の平均値よりも低い場合には、当該歌唱採点値の平均値又は当該利用者の過去の歌唱採点値の中で最高値とし、他の利用者を含めた当該カラオケ楽曲の歌唱採点値の平均値よりも高い場合には、当該利用者の実際の採点値又は当該利用者の過去の歌唱採点値の中で最高値とすることが可能である。
【００１４】
また、上述した構成からなる歌唱採点システムにおいて、さらに、利用者別携帯情報端末管理手段と、実歌唱採点値送信手段とを備えた構成とすることが可能である。利用者別携帯情報端末管理手段は、各利用者の利用者ＩＤと、各利用者が所持する携帯情報端末の識別ＩＤとを紐付けして、利用者別携帯情報端末管理テーブルにて管理するための手段である。実歌唱採点値送信手段は、歌唱採点値調整手段により歌唱採点値の調整が行われた場合に、当該歌唱採点値の調整の設定が行われた利用者ＩＤと紐付けされた識別ＩＤを有する携帯情報端末に対して、実際の歌唱採点値を送信するための手段である。
【００１５】
また、上述した構成からなる歌唱採点システムにおいて、さらに、利用者毎に各カラオケ楽曲別の歌唱採点値を、歌唱採点履歴管理テーブルにて管理する歌唱採点履歴管理手段を備えた構成とすることが可能である。この場合、歌唱採点値調整設定手段は、歌唱採点履歴管理手段にて管理している歌唱採点値の履歴が所定値以上である場合にのみ、歌唱採点値の調整設定を許可するように機能する。
【００１６】
このような構成からなる歌唱採点システムでは、利用者がカラオケシステムにログインする際、あるいは予約操作を行う際等、適宜のタイミングで、歌唱採点値調整設定手段の機能により、歌唱採点値を調整する設定を行うことができる。なお、歌唱採点を行う設定が行われているカラオケ楽曲が演奏されると、歌唱採点手段により歌唱採点値が算出される。
【００１７】
この際、歌唱採点値を調整する設定を行っている利用者ＩＤを有する利用者が予約したカラオケ楽曲の場合には、歌唱採点値調整手段の機能により、所定の条件に従って、当該利用者ＩＤを有する利用者にとって有利な歌唱採点値となるよう調整を行う。
【００１８】
歌唱採点値の調整は、例えば、当該利用者の実際の採点値が、他の利用者を含めた当該カラオケ楽曲の歌唱採点値の平均値よりも低い場合には、当該歌唱採点値の平均値又は当該利用者の過去の歌唱採点値の中で最高値とし、他の利用者を含めた当該カラオケ楽曲の歌唱採点値の平均値よりも高い場合には、当該利用者の実際の採点値又は当該利用者の過去の歌唱採点値の中で最高値とすることができる。
【００１９】
また、利用者別携帯情報端末管理手段と、実歌唱採点値送信手段とを備えた構成とした場合には、歌唱採点値の調整が行われた場合に、当該歌唱採点値の調整の設定が行われた利用者ＩＤと紐付けされた識別ＩＤを有する携帯情報端末に対して、実際の歌唱採点値を送信する。
【００２０】
また、利用者毎に各カラオケ楽曲別の歌唱採点値の履歴を管理しておき、歌唱採点値の履歴が所定値以上である場合にのみ、歌唱採点値の調整設定を許可してもよい。
【発明の効果】
【００２１】
本発明の歌唱採点システムでは、カラオケ楽曲の演奏に際して歌唱採点を行う場合に、当該カラオケ楽曲を歌唱する利用者の設定により、当該利用者にとって有利な歌唱採点値となるよう調整を行うことができる。すなわち、歌唱者の予想に反して、実際の歌唱採点値が低い場合であっても、当該歌唱者にとって満足できる歌唱採点値を表示することができるので、当該歌唱者の心証を害することがなく、また、聴取者に気まずい思いをさせることがないため、カラオケの楽しさを十分に味わうことが可能となる。
【００２２】
また、歌唱採点値の履歴が所定値以上である場合にのみ、歌唱採点値の調整設定を許可する構成とした場合には、過去の歌唱において歌唱採点値が低い利用者について、聴取者に違和感を与える高得点が表示されるおそれがない。
【図面の簡単な説明】
【００２３】
【図１】本発明の実施形態に係る歌唱採点システムの概略構成を示すブロック図。
【図２】予約楽曲管理テーブルの構成を示す模式図。
【図３】歌唱採点値の調整手順を示すフローチャート。
【発明を実施するための形態】
【００２４】
図面を参照して、本発明の歌唱採点システムの実施形態について説明する。図１〜図３は本発明の実施形態に係る歌唱採点システムを示すもので、図１は歌唱採点システムの概略構成を示すブロック図、図２は予約楽曲管理テーブルの構成を示す模式図、図３は歌唱採点値の調整手順を示すフローチャートである。
【００２５】
＜歌唱採点システムの概要＞
本発明の実施形態に係る歌唱採点システムは、図１に示すように、カラオケ演奏装置１０を含むカラオケシステムに組み込まれて機能するシステムであって、利用者ＩＤ取得手段（カードリーダ１２ｅ）と、予約楽曲管理手段２６と、歌唱採点値調整設定手段２７と、歌唱採点手段２８と、歌唱採点値調整手段２９とを備えている。そして、選曲予約を行う利用者が歌唱採点値を調整する設定を行っている場合には、当該利用者にとって有利な歌唱採点値となるように歌唱採点値を調整する。また、本発明の実施形態に係る歌唱採点システムは、利用者別携帯情報端末管理手段１１０、実歌唱採点値送信手段１４０を備えていてもよいし、さらに、歌唱採点履歴管理手段１２０を備えていてもよい。
【００２６】
以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２７】
＜カラオケ演奏装置＞
本発明の実施形態に係る歌唱採点システムを適用するカラオケ演奏装置１０は、図１に示すように、カラオケ本体１１、カラオケリモコン装置１２、マイクロホン１３、スピーカ１４、表示装置１５、ミキシングアンプ１６を備えている。また、カラオケ演奏装置１０は、ルータ５０及びインターネット、専用電話回線、一般電話回線、無線通信回線等のデータ通信回線８０を介して、管理サーバ１００とネットワーク接続されている。
【００２８】
＜管理サーバ＞
管理サーバ１００は、複数のカラオケ演奏装置１０を総合的に管理するためのサーバで、インターネット、専用電話回線、一般電話回線、無線通信回線等のデータ通信回線８０を介して、カラオケ演奏装置１０と接続されている。さらに、管理サーバ１００は、データ通信回線８０及び通信基地局７０を介して、利用者が所持する携帯情報端末６０とデータ通信を行うことができるようになっている。
【００２９】
本実施形態では、管理サーバ１００に、利用者別携帯情報端末管理手段１１０、歌唱採点履歴管理手段１２０、記憶手段１３０、実歌唱採点値送信手段１４０を備えている。また、記憶手段１３０には、利用者別携帯情報端末管理テーブル１３１及び歌唱採点履歴管理テーブル１３２が記憶されている。なお、詳細には図示しないが、管理サーバ１００は、サーバとして機能するための機器として、ＣＰＵ、ＲＯＭ、ＲＡＭ、通信制御手段等を備えている。
【００３０】
＜利用者別携帯情報端末管理手段＞
利用者別携帯情報端末管理手段１１０は、各利用者の利用者ＩＤと、各利用者が所持する携帯情報端末６０の識別ＩＤとを紐付けして、利用者別携帯情報端末管理テーブル１３１にて管理するためのプログラムからなる。すなわち、携帯情報端末６０にインストールされたアプリケーションソフトを用いて、各利用者が自身の利用者ＩＤと、所持している携帯端末の識別ＩＤとを登録することにより、利用者別携帯情報端末管理テーブル１３１が作成され、利用者別携帯情報端末管理手段１１０にて管理される。
【００３１】
＜利用者別携帯情報端末管理テーブル＞
利用者別携帯情報端末管理テーブル１３１は、図示しないが、各利用者の利用者ＩＤと、各利用者が所持する携帯情報端末６０の識別ＩＤとを紐付けして作成したデータテーブルであり、管理サーバ１００の記憶手段１３０に記憶される。この利用者別携帯情報端末管理テーブル１３１を参照することにより、各利用者の利用者ＩＤに紐付けされた携帯情報端末６０の電話番号やメールアドレス等を特定することができる。
【００３２】
＜歌唱採点履歴管理手段＞
歌唱採点履歴管理手段１２０は、利用者毎に各カラオケ楽曲別の歌唱採点値を、歌唱採点履歴管理テーブル１３２にて管理するためのプログラムからなる。この歌唱採点履歴管理手段１２０で、各利用者のカラオケ楽曲毎の過去の歌唱採点値を管理する。過去の歌唱採点値としては、歌唱毎の採点値、平均値、最高値等、適宜設定することができる。
【００３３】
＜歌唱採点履歴管理テーブル＞
歌唱採点履歴管理テーブル１３２は、図示しないが、各利用者の利用者ＩＤと、各利用者が過去に歌唱したカラオケ楽曲の楽曲ＩＤと、当該カラオケ楽曲の採点値とを紐付けして作成したデータテーブルであり、管理サーバ１００の記憶手段１３０に記憶される。この歌唱採点履歴管理テーブル１３２を参照することにより、各利用者の楽曲別の採点履歴を知ることができる。
【００３４】
＜実歌唱採点値送信手段＞
実歌唱採点値送信手段１４０は、歌唱採点値調整手段２９により歌唱採点値の調整が行われた場合に、当該歌唱採点値の調整の設定が行われた利用者ＩＤと紐付けされた識別ＩＤを有する利用者が所持する携帯情報端末６０に対して、実際の歌唱採点値を送信するためのプログラムからなる。実際の歌唱採点値を送信するか否かは、各利用者による設定入力に基づいてもよいし、携帯情報端末６０の識別ＩＤを登録しているすべての利用者に対して実際の歌唱採点値を送信してもよい。なお、実際の歌唱採点値を送信しない場合には、実歌唱採点値送信手段１４０を省略することができる。
【００３５】
＜カラオケリモコン装置＞
カラオケリモコン装置１２は、ユーザインタフェース機能を備えており、ルータ５０を介して、カラオケ本体１１との間でデータの送受信を行うようになっている。このカラオケリモコン装置１２は、楽曲検索手段１２ａとして機能するプログラム、楽曲索引データベース１２ｂ、種々のデータを記憶するためのデータ記憶部１２ｃ、データの入出力を行うための入出力表示部１２ｄ、利用者ＩＤ取得手段として機能するカードリーダ１２ｅ等を備えている。このカラオケリモコン装置１２に付帯するスイッチ類や、入出力表示部１２ｄに表示される各種のアイコン等を操作することにより、選曲操作等が行われる。
【００３６】
＜楽曲検索手段／楽曲索引データベース＞
楽曲検索手段１２ａは、利用者の指示に基づき、楽曲索引データベース１２ｂを参照して楽曲を検索するためのプログラムからなる。楽曲索引データベース１２ｂは、カラオケ演奏装置１０で演奏に供されるカラオケ楽曲について、その属性情報を記述したデータベースであり、例えば、楽曲番号・曲名・アーティスト名・歌い出し部分の歌詞・流行時期・音楽ジャンル区分・デュエット曲か否かなど、種々の属性情報がこれに含まれている。
【００３７】
＜カードリーダ＞
カードリーダ１２ｅは、利用者ＩＤ取得手段として機能する電子機器及びプログラムからなり、各利用者がシステムログインした際に、各利用者の利用者ＩＤを取得する。すなわち、ＩＤカード４０に記憶された利用者ＩＤをカードリーダ１２ｅにより読み取ることにより、利用者ＩＤを取得することができる。また、カラオケリモコン装置１２の入出力表示部１２ｄを用いて入力された利用者ＩＤ及びパスワードに基づいて、利用者ＩＤを取得してもよい。また、利用者が利用者ＩＤを所有していない場合には、カラオケ演奏装置１０を使用する際に、利用者に対して一時的に利用者ＩＤを付与してもよい。
【００３８】
＜マイクロホン＞
マイクロホン１３は、歌唱音声の入力を行うための装置である。マイクロホン１３から入力された歌唱音声信号は、ミキシングアンプ１６により、音楽再生制御手段３０から送出される演奏音声信号とミキシングされると共に増幅され、スピーカ１４へ出力される。また、マイクロホン１３からの音声入力信号は、Ａ／Ｄコンバータ３１によりデジタル変換され、歌唱採点手段２８における歌唱採点に使用される。
【００３９】
＜表示装置＞
表示装置１５は、カラオケ楽曲に関連した背景映像や歌詞テロップ等を表示するための装置で、例えば、液晶ディスプレイ等により構成される。
【００４０】
＜カラオケ本体＞
カラオケ本体１１は、中央制御手段２１、ＲＯＭ２２、ＲＡＭ２３、ＨＤＤ２４、送受信手段２５、予約楽曲管理手段２６、歌唱採点値調整設定手段２７、歌唱採点手段２８、歌唱採点値調整手段２９、音楽再生制御手段３０、Ａ／Ｄコンバータ３１、映像再生制御手段３２を備えている。
【００４１】
＜中央制御手段＞
中央制御手段２１は、カラオケ本体１１を総合的に制御するための手段であり、例えばＣＰＵ及びその周辺機器により構成されており、ＣＰＵ等がＲＯＭ２２等に記憶されたプログラムに従って動作することにより、制御機能を発揮することができるようになっている。
【００４２】
＜ＲＯＭ／ＲＡＭ＞
ＲＯＭ２２は、カラオケ本体１１を構成する各機器を制御するためのプログラムデータや数値データを記憶するための機器で、例えば半導体メモリ等で構成される。また、ＲＡＭ２３は、プログラムや各種データを一時的に記憶する一時記憶領域として機能するもので、例えば半導体メモリ等で構成される。
【００４３】
本実施形態では、ＲＡＭ２３に、予約楽曲管理テーブル２３ａが記憶されている。予約楽曲管理テーブル２３ａについては、後に詳述する。
【００４４】
＜ＨＤＤ＞
ＨＤＤ２４は、大容量記憶装置として機能するもので、楽曲データベース２４ａ、映像データベース２４ｂが格納されている。なお、ＨＤＤ２４に替えて、あるいはＨＤＤ２４と共に、データを書き替え可能なＤＶＤ等の大容量記憶手段を用いてもよい。
【００４５】
＜楽曲データベース／映像データベース＞
楽曲データベース２４ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース２４ｂは、演奏されるカラオケ楽曲に対応した背景映像を、当該カラオケ楽曲の楽曲ＩＤに対応させた映像ファイルとして所定数格納したデータベースである。
【００４６】
＜送受信手段＞
送受信手段２５は、カラオケ本体１１とルータ５０との間におけるデータの送受信を行うための電子機器及びプログラムからなる。
【００４７】
＜予約楽曲管理手段＞
予約楽曲管理手段２６は、任意の利用者がカラオケ楽曲の予約を行う際に、当該利用者の利用者ＩＤと予約楽曲の楽曲ＩＤとを紐付けして、予約楽曲管理テーブル２３ａにて管理するためのプログラムからなる。すなわち、予約楽曲管理手段２６は予約楽曲管理テーブル２３ａを作成し、この予約楽曲管理テーブル２３ａをＲＡＭ２３に格納して管理する。
【００４８】
＜予約楽曲管理テーブル＞
予約楽曲管理テーブル２３ａは、図２に示すように、利用者により楽曲検索手段１２ａの機能を用いて選曲された楽曲ＩＤを演奏順に並べて作成したテーブルである。上述したように、予約者を特定して選曲予約を行う場合には、予約楽曲管理テーブル２３ａにおいて、楽曲ＩＤと、選曲者の利用者ＩＤとが紐付けられる。さらに、利用者が歌唱採点値の調整設定を行う指示入力を行った場合には、予約楽曲管理テーブル２３ａのデータとして、採点値調整フラグがセットされる。また、各利用者が所持する携帯情報端末６０に対して実際の歌唱採点値を送信する設定が行われている場合には、実採点値送信フラグがセットされる。なお、実採点値送信フラグの設定に関しては、後述する全国平均値や過去の最高得点等を調整値として表示した時のみセットしてもよい。
【００４９】
＜歌唱採点値調整設定手段＞
歌唱採点値調整設定手段２７は、カラオケ楽曲の予約を行う際に、利用者毎に、歌唱採点値の調整を行うか否かを設定するためのプログラムからなる。すなわち、各利用者がシステムログインした際、あるいは選曲予約を行う毎に、カラオケリモコン装置１２等を用いて歌唱採点値の調整を行うか否かの指示入力を行うことができ、当該指示入力があった場合には、歌唱採点値の調整が行われる。このように、歌唱採点値の調整を行うか否かは、利用者毎、カラオケ楽曲毎に設定することができる。また、特定の利用者に対して、すべての予約楽曲に対して歌唱採点値の調整を行ってもよいし、利用者の指示入力に基づいて、カラオケ楽曲毎に歌唱採点値の調整を行ってもよい。
【００５０】
また、歌唱採点値調整設定手段２７による歌唱採点値の調整は、歌唱採点履歴管理手段１２０で管理している歌唱採点値の履歴が所定値以上である場合にのみ許可する構成とすることができる。このように、利用者の歌唱採点値の履歴が所定値以上である場合にのみ、歌唱採点値の調整を許可することにより、元来、歌唱が下手な利用者の歌唱採点値が予想よりも高く表示されて、聴取者が違和感を覚えることを防止することができる。基準となる歌唱採点値の履歴は、歌唱採点値の平均値、最高得点等、適宜設定することができる。
【００５１】
＜歌唱採点手段＞
歌唱採点手段２８は、カラオケ楽曲の演奏に際し、マイクロホン１３から入力された歌唱音声信号と、所定のリファレンスデータとを比較して歌唱採点値を算出するためのプログラムからなる。なお、歌唱採点は、リズムや音高等の基本的事項について算出してもよいし、さらに、ビブラート、しゃくり、フォール等、他のテクニックを加味して算出してもよい。
【００５２】
＜歌唱採点値調整手段＞
歌唱採点値調整手段２９は、歌唱採点値を調整する設定が行われている利用者ＩＤと紐付けられた楽曲ＩＤを有する予約楽曲が演奏された場合に、所定の条件に従って、当該利用者ＩＤを有する利用者にとって有利な歌唱採点値となるよう調整を行うためのプログラムからなる。
【００５３】
歌唱採点値調整手段２９で調整する利用者にとって有利な歌唱採点値とは、当該利用者の実際の採点値が、他の利用者を含めた当該カラオケ楽曲の歌唱採点値の平均値よりも低い場合には、当該歌唱採点値の平均値又は当該利用者の過去の歌唱採点値の中で最高値とし、他の利用者を含めた当該カラオケ楽曲の歌唱採点値の平均値よりも高い場合には、当該利用者の実際の採点値又は当該利用者の過去の歌唱採点値の中で最高値とすることができる。なお、本実施形態において、他の利用者を含めたカラオケ楽曲の歌唱採点の平均値として全国平均値を用いているが、来店した店舗内におけるカラオケ楽曲の平均値等を用いてもよい。
【００５４】
＜歌唱採点値の調整＞
図３に示すように、歌唱採点値の調整設定がなされている場合には（Ｓ１）、カラオケ楽曲の歌唱途中又は演奏終了後に、実際の歌唱採点値を記憶しておく（Ｓ２）。歌唱途中の歌唱採点値を算出するには、例えば、歌唱を終えた採点区間の平均値を用いてもよいし、採点区間毎に所定点数を満点とする得点情報を逐次出力してもよい。
【００５５】
そして、当該利用者の実際の採点値と全国平均値とを比較し（Ｓ３）、実際の採点値が全国平均値以上であるか否かを判定する（Ｓ４）。ここで、実際の採点値が全国平均値未満であった場合には、当該利用者の過去の採点履歴を参照し（Ｓ５）、過去の採点履歴の中に全国平均値以上の採点値が存在するか否かを確認する（Ｓ６）。
【００５６】
そして、過去の採点履歴の中に全国平均値以上の採点値が存在する場合には、その採点履歴の中で最高得点値を調整値とする（Ｓ７）。この採点値調整は、たまたま上手に歌唱できなかった利用者へ対処するためである。
【００５７】
一方、過去の採点履歴の中に全国平均値以上の採点値が存在しない場合には、全国平均値を調整値とする（Ｓ８）。この採点値調整は、元来、歌唱力のない利用者や、当該カラオケ楽曲の歌唱練習が十分でない利用者へ対処するためである。
【００５８】
また、実際の採点値が全国平均値以上であった場合には、当該利用者の過去の採点履歴を参照し（Ｓ９）、過去の採点履歴の中に実際の採点値以上の採点値が存在するか否かを確認する（Ｓ１０）。ここで、過去の採点履歴の中に実際の採点値以上の採点値が存在する場合には、その採点履歴の中で最高得点値を調整値とする（Ｓ１１）。この採点値調整は、いつもは高得点を出しているが、たまたま上手に歌唱できなかった利用者へ対処するためである。
【００５９】
一方、実際の採点値が過去の採点履歴よりも高い場合には、採点調整を行わずに実際の採点値を調整値とする（Ｓ１２）。この採点値調整は、そもそも歌唱力がある利用者へ対処するためである。
【００６０】
＜音楽再生制御手段＞
音楽再生制御手段３０は、楽曲ＩＤに基づいて演奏データから抽出された演奏制御データに基づいて、音源データをデジタル再生するとともにアナログ変換してミキシングアンプ１６に出力するための電子回路である。また、ミキシングアンプ１６は、マイクロホン１３から入力された歌唱者の歌唱音声信号と、音楽再生制御手段３０から送出される演奏音声信号とをミキシングすると共に、アンプ機能により増幅してスピーカ１４より出力するための装置である。
【００６１】
＜映像再生制御手段＞
映像再生制御手段３２は、カラオケ楽曲の演奏中に、映像データベース２４ｂから抽出した背景映像データと、演奏データに含まれる歌詞描出データに基づいて作成される歌詞文字とを、当該カラオケ楽曲の演奏データに同期させて表示装置１５に出力する。
【００６２】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６３】
１０  カラオケ演奏装置
１１  カラオケ本体
１２  カラオケリモコン装置
１２ａ  楽曲検索手段
１２ｂ  楽曲索引データベース
１２ｃ  データ記憶部
１２ｄ  入出力表示部
１２ｅ  カードリーダ
１３  マイクロホン
１４  スピーカ
１５  表示装置
１６  ミキシングアンプ
２１  中央制御手段
２２  ＲＯＭ
２３  ＲＡＭ
２３ａ  予約楽曲管理テーブル
２４  ＨＤＤ
２４ａ  楽曲データベース
２４ｂ  映像データベース
２５  送受信手段
２６  予約楽曲管理手段
２７  歌唱採点値調整設定手段
２８  歌唱採点手段
２９  歌唱採点値調整手段
３０  音楽再生制御手段
３１  Ａ／Ｄコンバータ
３２  映像再生制御手段
４０  ＩＤカード
５０  ルータ
６０  携帯情報端末
７０  通信基地局
８０  データ通信回線
１００  管理サーバ
１１０  利用者別携帯情報端末管理手段
１２０  歌唱採点履歴管理手段
１３０  記憶手段
１３１  利用者別携帯情報端末管理テーブル
１３２  歌唱採点履歴管理テーブル
１４０  実歌唱採点値送信手段
【図１】
2015143751.tif 000003
【図２】
2015143751.tif 000004
【図３】
2015143751.tif 000005